(57)【要約】      （修正有）【課題】不織布からなるコアラップシートを用いて、柔らかな肌触りと同時に吸収性コアの保形性を高めた吸収体及びそれを用いた吸収性物品を提供する。【解決手段】液吸収材料からなる吸収性コア１と吸収性コア１を被覆する不織布からなるコアラップシート２とを有し、着用者の腹側から股下を介して背側に亘って配される方向を長手方向、長手方向と直交する方向を幅方向とし、長手方向に沿って、着用者の腹側に配される前方部Ｆ、股下に配される股下部Ｃ、及び背側に配される後方部Ｒを有する吸収体であって、吸収性コア１は、股下部Ｃにおいて幅方向内方に括れた形状を有し、コアラップシート２は、吸収性コア１の上側及び下側に対向する面の一部に起毛部３を有し、起毛部３は股下部Ｃから長手方向に延在しており、上側の起毛部と下側の起毛部とで起毛面積が異なり、下側の起毛部は、上側の起毛部よりも前記吸収体の長手方向に長く配設されている吸収体。【選択図】図１
2016116657.tif 000002
【特許請求の範囲】
【請求項１】
液吸収材料からなる吸収性コアと該吸収性コアを被覆する不織布からなるコアラップシートとを有し、着用者の腹側から股下を介して背側に亘って配される方向を長手方向、該長手方向と直交する方向を幅方向とし、前記長手方向に沿って、着用者の腹側に配される前方部、股下に配される股下部、及び背側に配される後方部を有する吸収体であって、
前記吸収性コアは、前記股下部において幅方向内方に括れた形状を有し、
前記コアラップシートは、前記吸収性コアの上側及び下側に対向する面の一部に起毛部を有し、該起毛部は前記股下部から長手方向に延在しており、
上側の起毛部と下側の起毛部とで起毛面積が異なり、下側の起毛部は、上側の起毛部よりも前記吸収体の長手方向に長く配設されている吸収体。
【請求項２】
前記股下部において、前記吸収性コアの幅方向外方では、前記コアラップシートの、前記吸収性コアの上側及び下側に対向する面がそれぞれ幅方向外方に延出した部分が、非起毛部とされ、前記吸収性コアを介さずに接合されている請求項１記載の吸収体。
【請求項３】
前記吸収性コアの長手方向端部外方では、前記コアラップシートの、前記吸収性コアの上側及び下側に対向する面がそれぞれ長手方向外方に延出した部分が、非起毛部とされ、前記吸収性コアを介さずに接合されている請求項１又は２に記載の吸収体。
【請求項４】
前記起毛部の長手方向外方で、かつ、前記コアラップシートの、前記吸収性コアに対向する面が、非起毛部とされている請求項１〜３のいずれか１項に記載の吸収体。
【請求項５】
前記吸収体には、前記起毛部に対応する位置に複数のエンボス部が散点状に配されており、該エンボス部の面積を円相当に換算したときの直径が１ｍｍ以上５ｍｍ以下であり、該エンボス部が配された面側の起毛部の面積に対する、該エンボス部の面積率が５％以上５０％以下である請求項１〜４のいずれか１項に記載の吸収体。
【請求項６】
吸収性コアが２層以上からなり、前記コアラップシートに当接する最下層の親水性繊維の含有率が上層側よりも高められた請求項１〜５のいずれか１項に記載の吸収体。
【請求項７】
前記コアラップシートは、上側コアラップシートと下側コアラップシートの２枚のシートとからなり、該両シートは幅方向両側部で接合され、前記起毛部の幅方向外方で、上側に巻き上げられている請求項１〜６のいずれか１項に記載の吸収体。
【請求項８】
前記コアラップシートが、スパンボンド層とメルトブローン層の積層不織布からなる請求項１〜７のいずれか１項に記載の吸収体。
【請求項９】
請求項１〜８のいずれか１項に記載の吸収体を有する吸収性物品。
【発明の詳細な説明】
【技術分野】
【０００１】
本発明は、使い捨ておむつや尿とりパッドなどの吸収性物品に好ましく用いられる吸収体及び該吸収体を用いた吸収性物品に関する。
【背景技術】
【０００２】
使い捨ておむつ等の吸収性物品に用いられる吸収体として、パルプ等の液吸収材料からなる吸収性コアとこれを包んで該吸収性コアの保形成を保つ親水性のコアラップシートとからなるものがある。このような吸収体についてこれまでいくつかの提案がなされてきた。
例えば、特許文献１には、コアラップシート、パルプ層、高吸収ポリマーの層、及び繊維シートからなる吸収体が記載されている。該繊維シートは、高吸収ポリマーを含む吸収材料を担持するために、起毛領域を全面に分散配置させている。
特許文献２には、毛羽繊維を表面に有する繊維シートの起毛側に吸収体原料を毛羽の周囲に充填一体化させた吸収体が記載されている。
【０００３】
【特許文献１】特開２０１３−５８８０号公報
【特許文献２】特開昭６３−７３９５７号公報
【発明の概要】
【発明が解決しようとする課題】
【０００４】
吸収性コアを被覆するコアラップシートとしては、吸収体を組み込む吸収性物品の肌触りの柔らかさの観点から、薄葉紙に代えて、不織布を用いることがある。該不織布と吸収性コアとは、吸収性コアの保形性の観点からホットメルト型接着剤等で接合されている。
【０００５】
しかし、不織布には親水化処理剤が塗工されていることが多く、排尿時に、この親水化処理剤が前記接着剤の接着性を弱めてしまう。そのためコアラップシートを薄葉紙からなるものとした場合に比べて吸収性コアの固定性が十分でない。このとき着用者の動きが加わると、その力のかかり方によっては吸収性コアの形状が崩れ、液漏れに繋がることがある。
例えば、使い捨ておむつを装着した着用者の歩行動作などで、吸収体の股下部に強いせん断応力などが加わると、吸収性コアの型崩れにつながりかねない。また昼間の装着では、夜間装着に比べて交換回数が多いために少量の液吸収状態でいることが多い。この状態では、吸収性コアに股下部の濡れた部分と濡れていない部分との境界が生じる。このとき不織布のコアラップシートによる吸収性コアの固定性が十分でないと、前記境界を基点として、前記せん断応力等の外力で吸収性コアの分離や型崩れが生じかねない。
このように不織布をコアラップシートの素材として採用した場合、従来、柔らかな肌触りと吸収性コアの保形性とが両立し難いものであった。
【０００６】
本発明は、上記の点に鑑み、不織布からなるコアラップシートを用いて、柔らかな肌触りと同時に吸収性コアの保形性を高めた吸収体及び該吸収体を用いた吸収性物品に関する。
【課題を解決するための手段】
【０００７】
本発明は、液吸収材料からなる吸収性コアと該吸収性コアを被覆する不織布からなるコアラップシートとを有し、着用者の腹側から股下を介して背側に亘って配される方向を長手方向、該長手方向と直交する方向を幅方向とし、前記長手方向に沿って、着用者の腹側に配される前方部、股下に配される股下部、及び背側に配される後方部を有する吸収体であって、前記吸収性コアは、前記股下部において幅方向内方に括れた形状を有し、前記コアラップシートは、前記吸収性コアの上側及び下側に対向する面の一部に起毛部を有し、該起毛部は前記股下部から長手方向に延在しており、上側の起毛部と下側の起毛部とで起毛面積が異なり、下側の起毛部は、上側の起毛部よりも前記吸収体の長手方向に長く配設されている吸収体、を提供する。
【発明の効果】
【０００８】
本発明の吸収体及び該吸収体を用いた吸収性物品は、不織布からなるコアラップシートを用いて、柔らかな肌触りと同時に吸収性コアの保形性を高いものとすることができる。
【図面の簡単な説明】
【０００９】
【図１】（Ａ）本発明の吸収体の好ましい一実施形態を模式的に示した上面側の平面図であり、（Ｂ）は（Ａ）図の裏面側を模式的に示した平面図である。
【図２】図１のＩＩ−ＩＩ線断面の断面図である。
【図３】図１のＩＩＩ−ＩＩＩ線断面の断面図である。
【図４】不織布の起毛繊維の本数を測定する方法を模式的に示した説明図であり、（Ａ）は不織布を山折りした状態を示す図であり、（Ｂ）は（Ａ）の不織布に窓付きの黒い台紙を重ねた状態を示す図であり、（Ｃ）は黒い台紙の窓から起毛繊維を観察する様子を示す図である。
【図５】本実施形態の吸収体を吸収性物品に組み込んで装着した場合の、図３相当の断面分の変形状態を模式的に示した断面図である。
【図６】本発明の吸収体の別の好ましい実施形態として、エンボス部を有する図２相当の断面図である。
【図７】本発明の吸収体のさらに別の好ましい実施形態として、吸収性コアの最下層に親水性繊維の含有率の高い層を有する図２相当の断面図である。
【図８】本発明の吸収体のさらに別の好ましい実施形態として、コアラップシートが２枚の別々のシートからなる図２相当の断面図である。
【図９】起毛部加工工程のひとつの具体例を示す図であり、（Ａ）は部分延伸加工を示し、（Ｂ）部分延伸加工における一対の凹凸ロールの噛み合わせ状態を部分的に拡大して示した断面図であり、（Ｃ）は起毛加工を示し、（Ｄ）は（Ｃ）において符号ｄ１の円で示す部分を拡大して示した模式図である。
【図１０】本発明の吸収体を用いた吸収性物品の好ましい形態としてパンツ型使い捨ておむつを模式的に示した斜視図である。
【図１１】図１０のパンツ型使い捨ておむつをサイドシール部で破断して広げて伸長し、肌当接面側から見た状態を模式的に示した一部切欠展開平面図である。
【図１２】（Ａ）は実施例の吸収体崩れ試験の結果を示す図面代用写真であり、（Ｂ）は比較例の吸収体崩れ試験の結果を示す図面代用写真である。
【発明を実施するための形態】
【００１０】
本発明に係る吸収体の好ましい実施形態について図面を参照して以下に詳述する。
【００１１】
本明細書において、特に断らない限り、吸収体の上側とは、液を受け取る受液面の側であり、下側とはその反対側を意味する。この吸収体を組み込んだ使い捨ておむつ等の吸収性物品において、人体に接触する側を肌当接面側といい、これと反対側を非肌当接面側という。したがって、吸収体の上側は肌当接面側となり、吸収体の下側は非肌当接面側となる。また、着用時に人体の腹側に位置する方向を前方といいその端部を前端部とし、背側又は臀部側に位置する方向を後方といいその端部を後端部として説明する。
【００１２】
図１〜３には、本実施形態の吸収体１０が示されている。吸収体１０は、その構成部材として、液吸収材料からなる吸収性コア１と吸収性コア１を被覆する不織布からなるコアラップシート２とを有する。液吸収材料とは、後述のように、例えばパルプ繊維のような親水性繊維や高吸収性ポリマーなどである。吸収性コア１は、これらの素材等を積繊したもの（繊維集合体）である。
【００１３】
この構成の吸収体１０は、吸収性物品に組み込んで装着されるときに、着用者の腹側から股下を介して背側へと配される長手方向（Ｙ方向）とこれ直交する幅方向（Ｘ方向）とを有する。吸収体１０は、その長手方向において、着用者の腹側、股下及び背側にそれぞれ配される、前方部Ｆ、股下部Ｃ及び後方部Ｒを有する。
股下部Ｃは、着用者の排泄部に対応した排泄部対応領域を含んでおり、吸収体１０のなかで最も濡れる部分である。この股下部Ｃにおいては、着用者の大腿部に挟まれた股下へのフィット性を考慮して、吸収体１０内部の吸収性コア１が、幅方向内方に括れた形状とされている。なお、吸収体１０及び吸収性コア１の平面形状は、図１の実施形態のものに限定されることなく、吸収性物品に用いられる吸収体としてその用途に応じ種々の形状とすることができる。また、上記の３区分は着用者の対応部位に合わせて決めることができ、典型的には３等分である。
【００１４】
コアラップシート２は起毛部３を有する。起毛部３は、最も濡れる股下部Ｃを中心に、コアラップシート２の内側面、すなわち吸収性コア１に対向する側の面に面状に形成されている。この起毛部３は、コアラップシート２をなす不織布の繊維が複数毛羽立った部分であり、ブラシのような作用で吸収性コア１の表面を掴む。また、起毛部３は、繊維の毛羽立ちで繊維の粗な層となる。このような起毛部３が、股下部Ｃを中心に長手方向に配されて、吸収性コア１の表面の一部を面状に覆う。この起毛部３の作用については後述する。
【００１５】
このような起毛部３は、後述する（起毛した構成繊維の本数の測定方法）によって測定した繊維の本数が５本／ｃｍ以上となる部分である。また、起毛部３は、吸収性コア１をブラシのようにして掴まえ固定する観点から、繊維の本数が１０本／以上であることが好ましく、１５本以上であることがより好ましい。また、その上限は、起毛後における吸収性コア１の膨潤や着用者の大腿部によるせん断応力にも耐え得る破断強度を保持する観点から、３０本以下が好ましく、２５本以下がより好ましく、２０本以下が更に好ましい。なお、起毛部３以外のコアラップシート２の部分は、上記の本数を満たさない部分であり、非起毛部４という。
【００１６】
起毛した構成繊維の本数の測定は以下のように行う。
サンプリングおよび測定環境は２２℃６５％Ｒｈ環境下にて行う。
まず、測定する不織布から、鋭利な刃物（かみそり）で、２０ｃｍ×５ｃｍの測定片を切り出し、図４（Ａ）に示すように、測定片を起毛側が外向きになるように山折り（図４（Ａ）の矢印の方向）して測定サンプル１０４を形成する。次に、この測定サンプル１０４をＡ４サイズの黒い台紙の上に載せ、図４（Ｂ）に示すように、さらにその上に、縦１ｃｍ×横１ｃｍの窓１０７をあけたＡ４サイズの黒い台紙を重ねる。このとき、図４（Ｂ）に示すように、測定サンプル１０４の折り目１０５が、上側の黒い台紙の窓１０７から見えるように配置する。両台紙には、富士共和製紙株式会社の「ケンラン（黒）連量２６５ｇ」を用いた。その後、上側の台紙の窓１０７の両側それぞれから、折り目１０５に沿って外方に５ｃｍはなれた位置に、５０ｇのおもりをそれぞれ載せ、測定サンプル１０４が完全に折りたたまれた状態を作る。
次に、図４（Ｃ）に示すように、マイクロスコープ（ＫＥＹＥＮＣＥ社製ＶＨＸ−９００）を用いて、３０倍の倍率で、台紙の窓１０７内を観察し、測定サンプル１０４の折り目１０５から０．２ｍｍ上方に平行移動した位置に形成される仮想線１０８よりも上方に起毛している起毛した繊維の本数を計測する。このとき測定する不織布において、起毛加工の施された部位を含むように、２０ｃｍ×５ｃｍの測定片を３片切り出して計測する。以上の操作を、測定する不織布に対して３枚分計測し、計９箇所の平均値（小数第二位を四捨五入）をとり、起毛した構成繊維の本数とする。
【００１７】
前述した起毛部３の吸収性コア１に対する面状かつ部分的な配置が、従来のホットメルト型接着剤のみによる固定性ではなし得ない、吸収性コア１全体の保形性を実現する。この点について、起毛部３の配置位置と併せて以下に詳述する。
【００１８】
起毛部３は、最も濡れる股下部Ｃの領域において、肌側起毛部３１と非肌側起毛部３２とを有する。肌側起毛部３１は吸収性コア１の股下部Ｃの上側面（肌当接面）１１を覆い、非肌側起毛部３２は吸収性コア１の股下部Ｃの下側面（非肌当接面）１２を覆う。本実施形態では、吸収性コア１の股下部Ｃにおける最小幅（Ｗ１）に合わせた幅（Ｗ２）で面状に吸収性コア１の股下部Ｃを覆っている（図２参照）。
【００１９】
このような配置とされた肌側起毛部３１及び非肌側起毛部３２が、吸収性コア１の最も濡れる股下部Ｃの上下面を挟むようにしてしっかりと固定する。吸収性コア１の股下部Ｃでは、一般的に排尿等による濡れで親水性繊維等の積繊体にコシがなくなり軟弱になりやすい。吸収体１０では、この部分に対して、肌側起毛部３１及び非肌側起毛部３２が、シートの平滑面ではなく、起毛によるブラシのようなグリップ力で吸収性コア１の強度を補強する。これにより吸収体１０は、使い捨ておむつ等の吸収性物品に組み込んだときに、排尿時でも、着用者の両大腿部によるせん断応力に耐え得る強度を備える。また、起毛部３は、毛羽立ちによる粗な層として、吸収性コア１の膨潤を適度に許容しながら過度な変形を抑える。さらに、この粗な層が、吸収性コア１の両面で、前記せん断応力の波及を緩和し得る。これにより、吸収体１０の股下部Ｃのヨレや型崩れが抑えられる。そのため、肌側起毛部３１及び非肌側起毛部３２は、図１及び２に示すように、吸収性コア１の股下部Ｃ全体を覆うように配置される。
【００２０】
さらに吸収体１０の長手方向において、肌側起毛部３１及び非肌側起毛部３２はそれぞれ、前方部Ｆ及び後方部Ｒの一部を覆うように股下部Ｃから延設されている。本実施形態では、肌側起毛部３１は、股下部Ｃから前方部Ｆ及び後方部Ｒへ向けて、括れた部分から幅が広がり始めるところまで延設されている。具体的には、図１（Ａ）及び図３では、長さＬ１及びＬ２まで延設されている。非肌側起毛部３２は、長手方向に沿って、肌側起毛部３１よりもさらに前後に延設されている。図１（Ｂ）及び図３では、長さＬ３及びＬ４まで延設されており、Ｌ３＞Ｌ１、Ｌ４＞Ｌ２の関係にある。上記の長手方向の延設範囲において、前記幅（Ｗ２）で、肌側起毛部３１及び非肌側起毛部３２が形成され、上下で異なる面積で吸収性コア１を覆っている。なお、この肌側起毛部３１及び非肌側起毛部３２の幅（Ｗ２）は、本実施形態のものに限定されず、適宜任意に設定でき、また上下で異ならせてもよい。
【００２１】
吸収体１０では、このように上側の肌側起毛部３１と下側の非肌側起毛部３２とは起毛面積が異なり、下側の非肌側起毛部３２は上側の肌側起毛部３１よりも長手方向に長く配設されている。これは、液の拡散に合わせた構成である。すなわち、上側（吸収性物品における肌当接面側）で受け取った尿等は、通常、厚み方向に透過して下側（吸収性物品における非肌当接面側）に行くに従い平面方向に拡散するため、その濡れ広がり面積の違いに合わせた配置である。これにより、肌側起毛部３１及び非肌側起毛部３２は、液の濡れ広がりに合わせて崩れやすくなった部分を掴んで固定する。特に、吸収性コア１の濡れた部分と濡れていない乾燥した部分との境界部分は外力で分離しやすいため、この境界を跨ぐように上側、下側それぞれで設定することが好ましい。
【００２２】
さらに、このような肌側起毛部３１及び非肌側起毛部３２の掴み固定性は、吸収体１０を使い捨ておむつなどの吸収性物品に組み込んで装着した状態において、吸収性コア１の、前方部Ｆ及び後方部Ｒの部分から股下部Ｃの部分へのずり落ちをも防止する。
【００２３】
このことは図５を参照して説明すると次のとおりである。吸収性物品の装着状態では、吸収体１０は、着用者の股下から腹側及び背側に亘る湾曲形状に合わせて、図５のように断面がＵ字状に湾曲した状態となる。このとき股下部Ｃが最も低い位置にあり、前方部Ｆ及び後方部Ｒを支える土台となる。この状態で、肌側起毛部３１及び非肌側起毛部３２が、吸収性コア１の股下部Ｃの部分をしっかりと掴んで、濡れと外力とによって生じかねないヨレや型崩れを防ぐ。このことが、括れによる幅の違いと相俟って、幅広の前方部Ｆ及び後方部Ｒのずり落ちを防止する。特に、本実施形態のように、肌側起毛部３１及び非肌側起毛部３２が、吸収性コア１の、括れた股下部Ｃの部分から、前方部Ｆ及び後方部Ｒの幅が広がり始める部分（領域Ｆ１及びＲ１及びこれに対応する非肌面領域）を掴み固定すると、ずり落ち防止がより確実となる。加えて、肌側起毛部３１及び非肌側起毛部３２が、前方部Ｆ及び後方部Ｒにおいて、昼間の少量排尿時における濡れ広がりの境界まで延設されていると、昼間の活動期の外力による吸収性コア１の分離を防ぎ、これによるずり落ちを防止する。
さらに、肌側起毛部３１と非肌側起毛部３２の長手方向の長さの違いは、吸収性コア１がＵ字状に湾曲した状態で、肌当接面側と非肌当接面側の曲率半径の違いに対応する。非肌当接面側を覆う非肌側起毛部３２が、吸収性コア１の股下部Ｃから領域Ｆ２及びＲ２の範囲をしっかりと掴んで、吸収性コア１を下支えする。これにより、前方部Ｆ及び後方部Ｒのずり落ち防止がより確実なものとなる。
【００２４】
このように吸収体１０は、例えば、大人用使い捨ておむつをつけた成人者の大きな動作や、乳幼児用使い捨ておむつを付けた乳幼児のハイハイやよちよち歩き、成長に伴う活発な動きなどにも耐え得る保形性を備える。
【００２５】
肌側起毛部３１及び非肌側起毛部３２の長手方向の長さは、股下部Ｃを中心に任意に設定できる。ただし、起毛が不織布の繊維の一部を起立させたものであるので、起毛部分が長手方向に連続して形成され過ぎると、シート強度の低下につながりかねない。またこの場合、股下の外力の影響でかえってシート全体に及ぶ大きな皺が発生しやすくなって固定性の低下をもたらしかねない。そのため、大きな皺の発生を抑制できる範囲にとどめつつ、かつ、吸収性コア１全体の型崩れ防止を実現する観点から、分離が生じやすい濡れ部分と乾燥部分との境界を跨ぐ長さとすることが好ましい。特に、夜間の就寝中ではなく、昼間の活動期に合わせて上記の濡れ部分と乾燥部分との境界をしっかりとグリップする長さとすることが好ましい。これにより、昼間の活動時の股下でのせん断応力等に十分耐え得る設計となる。
【００２６】
このとき、前方部Ｆ及び後方部Ｒの、股下でのせん断応力等が直接的に及ばない領域では、接着剤のみによる固定性が好ましい。具体的には、吸収性コア１の、肌側起毛部３１の配される前後端の領域Ｆ１及びＲ１の外方の、領域Ｆ３及びＲ３が、上側のコアラップシート２（上側コアラップ部２１）の非起毛部４１と接着剤で固定されることが好ましい。また、吸収性コア１の、非肌側起毛部３２の配される前後端の領域Ｆ２及びＲ２の外方の表面領域Ｆ４及びＲ４が、下側のコアラップシート２（下側コアラップ部２２）の非起毛部４２と接着剤で固定されることが好ましい。この部分では、起毛がないことで、吸収性コア１の面とコアラップシート２の面との接合で一体性が高くなる。前記接着剤としては、ホットメルト型接着剤等を用いることができる。また、接着剤の塗工方法は、液の透過性を考慮してスパイラルなど通常用いられる間欠的な方法を採用することが好ましい。この接着剤の間欠塗工は、起毛部３においても塗工することが好ましく、この点については後述する。なお、図２、３及び５においては、吸収性コア１の表面領域Ｆ３、Ｆ４、Ｒ３及びＲ４とコアラップシート２とは、部材の位置関係の理解のため離間して示したが、実際は両部材は当接して接着剤で接合された形態である。
【００２７】
このように、主に起毛による固定と接着剤による固定とを組み合わせることで、外力の波及を分断し、吸収体１０全体として確かな固定性を確保することができる。加えて、繰り返しの排尿等で、吸収性コア１の濡れ広がりが前方部Ｆの表面領域Ｆ３及びＦ４、後方部Ｒの表面領域Ｒ３及びＲ４にまで及んで膨潤が生じることがある。この場合、非起毛部４１及び４２の吸収性コア１に対する接合強度は、不織布の親水化処理剤の作用で濡れにより弱められ漸次剥離が生じ、むしろ適度な膨潤を許容する空間を該膨潤に合わせて提供できる。このことが、強固な接合がある場合に比べて、膨潤による内圧が過度に吸収体１０全体に及ぶのを回避してむしろ型崩れや変形を防止することができる。この膨潤に対応した剥離は、不織布が適度な強度を有し、肌側起毛部３１及び非肌側起毛部３２が吸収性コア１の股下部Ｃ及びその周辺をしっかりと掴んで固定し前述のＵ字形状の土台を支えていることで可能となる。
【００２８】
さらに、起毛部３を全面に配さずに上記のように吸収性コア１の固定性を確かなものとすることで、吸収性コア１が有する高吸収性ポリマーの脱落を防止することができる。
【００２９】
また、肌側起毛部３１及び非肌側起毛部３２は、不織布の繊維の起毛（毛羽立ち）によって構成される粗な層となり、吸収性コア１とコアラップシート２の外表面との間に距離が生まれる。この距離は起毛繊維の弾力性により伸縮する。この伸縮性が、吸収体１０の股下部Ｃに適度なクッション感を伴う柔らかな肌触りを付与し、股下部Ｃの柔軟性を高める。このことが、前述した吸収性物品の装着状態において、着用者の肌の柔らかい部分に良好な肌触りを与え、着用者の動きを妨げない。また、このことが、前述した吸収性物品の装着状態において、吸収性コア１の膨潤による肌への違和感や異物感を低減し得る。
【００３０】
さらに上記の距離は、吸収体１０から肌当接面側への液戻りを抑制するように作用する。加えて、起毛繊維は、不織布の平面方向への繊維配向のなかで比較的吸収体１０の厚み方向の配向性を示し、液の厚み方向への透過性を高めるように作用する。これにより、股下部Ｃで、液を素早く透過させ、肌から離れた位置で拡散させることができる。その結果、液戻り防止性がさらに高まり、吸収性物品における液と肌との接触を回避することができる。
【００３１】
上記のシート強度を維持した固定性と柔らかい肌触りの観点から、肌側起毛部３１の前方部Ｆにおける長手方向の長さＬ１は、前方部Ｆの長さＦＬに対する割合として、０％以上が好ましく、１０％以上がより好ましく、５０％以下が好ましく、３０％以下がより好ましい。また、肌側起毛部３１の後方部Ｒにおける長手方向の長さＬ２は、前方部Ｒの長さＲＬに対する割合として、０％以上が好ましく、１０％以上がより好ましく、５０％以下が好ましく、３０％以下がより好ましい。
同様に、非肌側起毛部３２の前方部Ｆにおける長手方向の長さＬ３は、前方部Ｆの長さＦＬに対する割合として、２０％以上が好ましく、３０％以上がより好ましく、８０％以下が好ましく、６０％以下がより好ましい。また、非肌側起毛部３２の後方部Ｒにおける長手方向の長さＬ４は、前方部Ｒの長さＲＬに対する割合として、２０％以上が好ましく、３０％以上がより好ましく、８０％以下が好ましく、６０％以下がより好ましい。
【００３２】
さらに、前方部Ｆにおいて、非肌側起毛部３２の長さＬ３の肌側起毛部３１の長さＬ１に対する比（Ｌ３／Ｌ１）は、吸収性コア１の固定性の観点から、１０／１以上が好ましく、１０／２以上がより好ましく、１０／３以上が更に好ましい。その上限は、液の透過性と拡散性の観点から、１０／７以下が好ましく、１０／６以下がより好ましく、１０／５以下が更に好ましい。
同様に、後方部Ｒにおいて、非肌側起毛部３２の長さＬ４の肌側起毛部３１の長さＬ２に対する比（Ｌ４／Ｌ２）は、吸収性コア１の固定性の観点から、１０／１以上が好ましく、１０／２以上がより好ましく、１０／３以上が更に好ましい。その上限は、液の透過性と拡散性の観点から、１０／７以下が好ましく、１０／６以下がより好ましく、１０／５以下が更に好ましい。
【００３３】
肌側起毛部３１及び非肌側起毛部３２の幅方向長さ（Ｗ２）は、吸収性コア１の股下部Ｃにおける最小幅（Ｗ１）の８０％以上であることが好ましく、８５％以上であることがより好ましく、９０％以上であることが更に好ましい。これにより、着用者の動きに最も影響されやすい股下部の上下コアラップの接着強度が高くなり、変形に対しても強くなるため吸収体括れ部分でも壊れが発生しにくい。また、肌側起毛部３１及び非肌側起毛部３２の幅方向長さ（Ｗ１）は、吸収性コア１の股下部Ｃにおける最小幅（Ｗ２）の１００％以下であることが好ましい。これにより、股下部の上下コアラップの接着強度が高くなる。上記の範囲において、肌側起毛部３１幅方向の長さと非肌側起毛部３２の幅方向の長さとは、上記の起毛面積の関係と長手方向の長さの関係を有する限り、異ならせてもよく同じでもよい。
【００３４】
上記の吸収性コア１とコアラップシート２との接合及び固定に加え、吸収性コア１の両側外方及び前後端外方では、次のようなコアラップシート２同士の接合（非起毛封止部）があることが好ましい。
【００３５】
まず、吸収性コア１の股下部Ｃの幅方向外方においては、コアラップシート２の、吸収性コア１の上側及び下側に対向する面がそれぞれ延出した部分が、非起毛部４３、４４とされている。非起毛部４３は、図２に示すように、コアラップシート２（上側コアラップ部２１）の、吸収性コア１の上側に対向する面が幅方向外方に延出した部分にある。非起毛部４４は、コアラップシート２（下側コアラップ部２２）の、吸収性コア１の下側に対向する面が幅方向外方に延出した部分にある。非起毛部４３及び４４は互いに、股下部Ｃにおいて、吸収性コア１の括れた部分の幅方向外方で、吸収性コア１を介さずに直接対面配置されている。この非起毛部４３及び４４が、直接、ホットメルト型接着剤やエンボスシール等で接合されることが好ましい。この接合された部分が、吸収性コア１の股下部Ｃの幅方向の端部を封止する非起毛封止部４Ａとなる。非起毛封止部４Ａによる封止と肌側起毛部３１及び非肌側起毛部３２による固定とにより、吸収性コア１の幅方向への移動がさらに制限される。
また、非起毛部４３と非起毛部４４の接合部分は、吸収性コア１の膨潤を伴う濡れによって、吸収性コア１に近い位置から徐々に濡れることとなる。非起毛部４３と非起毛部４４の接合強度は、前述した非起毛部４１及び４２と同様に、むしろ濡れにより弱められ、適度な膨潤を許容する空間を該膨潤に合わせて提供できる。このことが、膨潤による内圧で型崩れないし変形が生じることをむしろ防止し、肌側起毛部３１及び非肌側起毛部３２による吸収性コア１のブラシのような掴み固定性が有効に作用する。
【００３６】
上記の非起毛封止部４Ａは、股下部Ｃのみに限らず、前方部Ｆ及び後方部Ｒの両側外方でも形成されてもよい。これにより、起毛部３による固定性と非起毛部４同士の接着固定性との組み合わせが吸収体１０全体に配され、様々な排尿パターンに対応した吸収性コア１の固定を実現できる。
【００３７】
一方、吸収性コア１の前後端（長手方向端部）の外方においては、コアラップシート２の、吸収性コア１の上側及び下側に対向する面がそれぞれ延出した部分が、非起毛部４５、４６とされている。非起毛部４５は、図３に示すように、コアラップシート２（上側コアラップ部２１）の、吸収性コア１の上側に対向する面が長手方向外方に延出した部分にある。非起毛部４６は、コアラップシート２（下側コアラップ部２２）の、吸収性コア１の下側に対向する面が長手方向外方に延出した部分にある。非起毛部４５及び４６は互いに、前方部Ｆ及び後方部Ｒにおいて、吸収性コア１の長手方向端部の外方で、吸収性コア１を介さずに直接対面配置されている。この非起毛部４３及び４４が、直接、ホットメルト型接着剤やエンボスシール等で接合されて、非起毛部封止部４Ｂが形成されることが好ましい。これにより、幅方向における非起毛封止部４Ａと同様の作用を奏する。また、これにより、吸収性コア１が有する高吸収性ポリマーの脱落を防止することができる。
【００３８】
本実施形態の吸収体１０では、吸収性コア１やコアラップシート２をなす不織布としては、この種の物品に用いられるものを特に制限なく採用できる。
【００３９】
例えば、吸収性コア１としては、液吸収材料である親水性繊維や高吸収性ポリマーなどを用いたものが挙げられる。具体的には、親水性繊維の積繊体又は該親水性繊維と高吸収性ポリマーとの混合物の積繊体などである。
親水性繊維としては、例えば、木材パルプ、コットン、麻などの天然繊維、ポリエチレンやポリプロピレンなどのポリオフィレン系樹脂、ポリエチレンテレフタレート等のポリエステル系樹脂、ポリビニルアルコール樹脂等の合成樹脂からなる単繊維、これらの樹脂を２種以上含む複合繊維、アセテートやレーヨンなどの半合成繊維を用いることができる。合成繊維からなる繊維を用いる場合、該繊維は熱によって形状が変化する熱収縮繊維であってもよい。例えば、熱によって繊度は大きくなるが繊維長は短くなるものや、熱によって繊度はほとんど変化しないが、形状がコイル状に変化することでみかけの繊維の占有する長さが短くなるものであってもよい。
高吸収性ポリマーとしては、この種の物品に通常使用されている各種のポリマー材料を用いることがでる。高吸水性ポリマーは、自重の２０倍以上の水又は生理食塩水を吸収し保持し得る性能を有するような超吸収性高分子化合物であることが好ましい。
【００４０】
また、コアラップシート２をなす不織布としては、例えば、親水性繊維からなる不織布、合成樹脂の繊維に親水化処理を施してなる不織布、例えばエアスルー不織布、ポイントボンド不織布、スパンレース不織布、スパンボンド不織布、スパンボンド層とメルトブローン層とからなる積層不織布などを用いることができる。
【００４１】
本実施形態の吸収体１０において、上記の作用を奏する特定配置とされた起毛部３の構成に加え、さらに次のような構成を備えることが好ましい。以下に述べる構成は、いずれか１つを選択的に吸収体１０に組み込んでもよく、いくつかを組み合わせて吸収体１０に組み込んでもよい。
【００４２】
まず第１の構成としては、エンボス部５が挙げられる。エンボス部５を、前述した起毛部３の対応する位置において、複数、散点状に配されていることが好ましい。例えば、千鳥状配置などの規則的な間欠配置でもよく、不規則に分散させた配置でもよい（図示せず）。これにより吸収性コア１の固定性と液透過性とを同時に向上させることができる。エンボス部５を配設する起毛部３は、吸収性コア１の上側のコアラップシート２（上側コアラップ部２１）の肌側起毛部３１でもよく、下側のコアラップシート２（下側コアラップ部２２）の非肌側起毛部３２でもよい。少なくとも、液の透過性（引き込み性）の観点からは、吸収性コア１の上側（吸収性物品における肌当接面側）にエンボス部５が配されていることが好ましい。図６には、エンボス部５を吸収性コア１の上側にのみ配した形態が示されている。ただし、これは一例であって、吸収性コア１の下側に同様にエンボス部５が配されていてもよい。また、散点状の配置間隔も後述の面積率の範囲内とする限り適宜設定できる。
【００４３】
エンボス部５は、図６に示すとおり、コアラップシート２側から圧搾するエンボス加工により、吸収性コア１とコアラップシート２とを一体的に窪ませて接合させた部分である。これにより、この部分の接合強度が上がり起毛部３の起毛繊維による吸収性コア１の固定を補強することができる。また、エンボス部５は、圧搾により形成されるため、繊維密度が高められており、液の透過性に優れた部分となる。
更に該圧搾部が散点状に配置されていると、股下の起毛部３への強いせん断力に対する可撓軸の役割を果たし、せん断力に沿った変形を促すことで、より股下部Ｃのフィット性を高めることができる。
【００４４】
上記の作用の観点から、エンボス部５の面積を円相当に換算したときの直径が１ｍｍ以上が好ましく、１．２ｍｍ以上がより好ましく、１．５ｍｍ以上が更に好ましい。また、エンボス部５の面積は、大きすぎることによる起毛部３の固定作用の阻害を回避する観点から、５ｍｍ以下が好ましく、４ｍｍ以下がより好ましく、３ｍｍ以下が更に好ましい。この円相当に換算したときの直径とは、エンボス部の面積を、その形状に関わらず、円の面積に換算したときの円の直径をいう。
また前記円相当直径と同様の観点から、エンボス部５の、該エンボス部５が配された面側の起毛部３の面積に対する面積率は、５％以上が好ましく、１０％以上がより好ましく、１５％以上が更に好ましい。また、該面積率は、５０％以下が好ましく、３０％以下がより好ましく、２０％以下が更に好ましい。この面積率を保持する限り、エンボス部５の散点状配置は、どのような配置とすることができる。ただし、液の引き込みに偏りがあると液吸収性の低下をもたらし兼ねないため、できるだけ起毛部３の面積内で均等に散在することが好ましい。なお、前述した「エンボス部が配された側の起毛部」とは、吸収性コア１の上側に配された肌側起毛部３１、下側に配された非肌側起毛部３２のいずれかを意味する。そのため、肌側起毛部３１及び非肌側起毛部３２の面積に対してエンボス部５の面積率が設定される。
【００４５】
次に第２の構成として、ホットメルト型接着剤を、コアラップシート２の起毛部３と吸収性コア１との間に間欠塗工することが挙げられる。この間欠塗工は、起毛繊維の機能を維持できる程度に粗な状態で塗工することである。このホットメルト型接着剤の間欠塗工により、起毛部３の起毛繊維を存続させつつ、起毛部３と吸収性コア１との接合性を向上させることができる。また間欠塗工とすることで、受液面から吸収体１０までの液の透過性を阻害しない接合ができる。
【００４６】
上記の間欠塗工パターンとしては、通常用いられるパターンを特に制限なく採用できる。例えば、スパイラル状、Ω字状、サミット状などが挙げられる。また、ホットメルト型接着剤の素地としてもこの種の物品に用いられるものを特に制限なく採用できる。例えば、オレフィン系、ゴム系、エチレン−酢酸ビニル共重合体（ＥＶＡ）系が挙げられる。
なお、このホットメルト型接着剤の間欠塗工は、前述のエンボス部５に代えて又はエンボス部５と併せて採用することができる。
【００４７】
また第３の構成として、吸収性コア１を２層以上とし、最下層（吸収性物品の非肌当接面側の層）を上側の層よりも親水性繊維の含有率を高めることが挙げられる。図７は、上記構成の１例を示しており、吸収性コア１を２層とし下側に親水性繊維のみからなる最下層１８を備える。これは、吸収性コア１を親水性繊維と液保持性の高い高吸収性ポリマーとの混合積繊体において、最下層１８に高吸収性ポリマーを含有させない例を示している。このように、親水性繊維の含有率が高いとは、高吸収性ポリマーの比率を抑えたことを意味する。すなわち、最下層１８は、液保持層ではなく液拡散層であり、いわばフィルター層である。これにより、液の拡散を肌から遠い位置で行うことができ、液の上側（肌側）への戻りを抑えて肌への液の接触を抑えることができる。親水性繊維の含有率は、液の拡散性の観点から適宜設定することができる。また、親水性繊維の含有率が高い最下層１８は、上層と明確に区別できる層とする場合に限らず、上層側から徐々に親水性繊維の含有率が高められて、十分な液拡散性を備えた部分とすることもできる。
【００４８】
この最下層１８を有することで上側よりも下側で液が拡散しやすくなる。この最下層１８の厚みを設定することで、液の拡散性を制御した設計が可能となる。これにより、不意に多量の排尿があっても、前述した肌側起毛部３１と非肌側起毛部３２の長手方向の長さに合わせた濡れ広がりとなりやすく、吸収性コア１の固定性が保持される。
また、最下層１８は、高吸収性ポリマーの含有率が上層よりも低いため、液吸収による膨潤が抑えられており型崩れし難い層である。この最下層１８を非肌側起毛部３２がしっかりと掴んで固定すると、吸収性コア１の土台の形状の安定性が高まる。この下支えにより、上層の液膨潤で吸収性コア１の頭が大きくなっても吸収性コア１全体が型崩れし難くなる。
【００４９】
次に第４の構成として、コアラップシート２を２枚のシートとからなることが挙げられる。この場合、２枚のシートを互いに貼り合わせて吸収性コア１を封止する。図８は、その具体例を示している。これは、前述した実施形態において、上側コアラップ部２１、下側コアラップ部２２とした部分が、１枚のシートからなるものでなく、２枚別々のシートから構成された形態である。
図８では、上側コアラップシート２Ａと下側コアラップシート２Ｂとが、吸収性コア１の幅外方に延出した部分で、吸収性コア１を介さずにホットメルト型接着剤等で接合されている。上側コアラップシート２Ａが図２における上側コアラップ部２１に対応し、下側コアラップシート２Ｂが図２における下側コアラップ部２２に対応する。さらに、幅方向での接合部２Ｃが、上側コアラップシート２Ａの上面側へと巻き上げられている。これによりコアラップシート部材の４層構造の非起毛封止部４Ｃが形成される。このとき、接合部２Ｃは、肌側起毛部３１とは重ならない配置とすることが好ましい。この配置により、肌側起毛部３１の起毛繊維をつぶさず、また接合部２Ｃを上層コアラップシート２Ａと接合する際の接着剤が起毛繊維に滲みだすことが防止できる。すなわち、肌側起毛部３１の前述の機能を阻害しない配置とすることができる。このように２枚のシートで構成することにより製造時の幅方向の位相合わせの精度を高めることが可能となり、吸収性コア１の所定の位置と重なる領域に肌側起毛部３１及び非肌側起毛部３２を配することができる。
【００５０】
第５の構成は、前記４つ目の構成に代えて、コアラップシート２が１枚のシートからなるものである。これは図２に示す形態である。すなわち、コアラップシート２の両端部が前記吸収性コア１の下側で重なり部を形成して接合されている。この配置とすることで、上側（肌当接面側）からの液の透過や肌側起毛部３１による固定性を阻害しないので好ましい。このとき、接合部は起毛部と重ならない位置とするのが好ましい。接合部と起毛部が重なる位置となる場合は、接合のために使用されるホットメルト接着剤は間欠塗工して行うのが好ましい。
【００５１】
加えて、第６の構成として、コアラップシート２が、スパンボンド層とメルトブローン層の積層不織布からなるものが挙げられる。具体的には、スパンボンド−メルトブローン−スパンボンド（ＳＭＳ）不織布、スパンボンド−メルトブローン−メルトブローン−スパンボンド（ＳＭＭＳ）不織布などが挙げられる。このような、積層不織布を用いると、液の透過性と同時に高い強度を有するものとなり、起毛部３を形成する場合でも十分股下のせん断応力に耐え得るものとなり好ましい。特に積層不織布の表面層が長繊維からなるスパンボンド層であるため、後述の起毛加工が行いやすく、十分な毛足と本数の起毛部３を形成できる。また、積層不織布の目の細かさにより、吸収性コア１の高吸収性ポリマーが外部に漏れにくくなるので好ましい。
【００５２】
次にコアラップシート２の起毛部３の形成方法について説明する。起毛部３は前述のとおり、不織布表面の繊維を起毛させて形成したものであり、このような起毛加工として通常用いられる方法を特に制限なく採用できる。
その具体例の１つとして、図９（Ａ）及び（Ｃ）に示す２段階起毛加工が挙げられる。この方法は、第１段階で不織布表面を部分延伸させて繊維にダメージを与えることで、次の第２段階での起毛加工が行いやすくなる。図９（Ａ）の工程が第１段階の部分延伸工程であり、図９（Ｃ）の工程が起毛加工工程である。
【００５３】
まず、部分延伸加工７１では、例えば原反ロール（図示せず）から帯状の原料不織布１００を繰り出し、図９（Ａ）に示すように、凸ロール７４及び凹ロール７５間に連続的に供給する。凸ロール７４及び凹ロール７５間では、互いの凹凸の噛み合わせにより原料不織布１００を挟圧して、原料不織布１００の複数個所に部分延伸加工を施し、原料不織布１００にダメージを与える。帯状の原料不織布１００の搬送には、例えば、凸ロール７４及び凹ロール７５の上流側及び下流側に設けた搬送ロール７３，７３によって行うことができる。凸ロール７４，凹ロール７５としては、不織布を部分延伸のために通常用いられるものを特に制限なく採用できる。例えば、アルミニウム合金又は鋼鉄等の金属製の円筒形状のスチールマッチングエンボスローラーなどである。具体的には、凸ロール７４の周面に設けられた複数個の凸部７４Ａと凹ロール７５の周面に設けられた複数個の凹部７５Ａとが、互いに噛み合うように形成されたものが挙げられる。複数個の凸部７４Ａは、例えばロール７４の回転軸方向及び周方向にそれぞれ均一に且つ規則的に配列される。これに対応するように、複数の凹部７５Ａが配列される。一対の凹凸ロール７４，７５は、何れか一方の回転軸に駆動手段（図示せず）からの駆動力が伝達されることによって噛み合って回転するようにしてもよい。
このようにして、凸ロール７４が矢印Ｇ１の方向に、凹ロール７５が矢印Ｇ２の方向に回転する。各ロールの回転時に互いの凸部と凹部とが原料不織布１００を介在させて噛み合う。例えば図９（Ｂ）に示すように、凸ロール７４の凸部７４Ａと凹ロール７５の凹部７５Ａとが原料不織布１００を介在させて噛み合う。これにより、原料不織布１００は、部分的に搬送方向（ＭＤ：Ｍａｃｈｉｎｅ  Ｄｉｒｅｃｔｉｏｎ）及び搬送方向と直交する方向（ＣＤ：Ｃｒｏｓｓ  Ｄｉｒｅｃｔｉｏｎ）に延伸される。
【００５４】
この部分延伸加工７１により、原料不織布１００にダメージが与えられて繊維が延伸し、原料不織布１００に起毛の起点となる弱化点が形成される。また、搬送方向（ＭＤ）及び搬送方向に直交する方向（ＣＤ）に延伸加工を施すことによって、第１工程７を経て得られる加工後の起毛不織布４の破断強度減少を方向別に抑えることができる。なお、部分延伸加工は、原料不織布１００の構成繊維間で熱融着を起こさないことが柔らかさを創出する観点から好ましい。そのため、例えば、一対のロール７４，７５は、積極的に加熱をしないか、または原料不織布１００を構成する繊維の成分のうち最も低い融点を示す成分の融点以下の温度で加工することが好ましい。特に、該融点よりさらに７０℃以上低い温度で加工することがより好ましい。例えば、５０℃以下の温度の条件下で行うことが好ましい。ここで、５０℃以下の温度とは、凹凸ロール７４，７５に積極的に温度を掛けず、原料不織布１００に延伸加工を施す際、常温であることを意味する。言い換えれば、原料不織布１００に延伸加工を施す際に、不織布の構成繊維間で熱融着を起こしてしまい原料不織布１００が硬くなることを防止する観点から、如何なる種類の構成繊維樹脂の融点よりも低い温度であることを意味する。尚、搬送方向に直交する方向（ＣＤ）は、上述したロールの回転軸方向と平行な方向であり、幅方向ともいう。
【００５５】
次いで起毛加工７２では、図９（Ｃ）に示すように、部分延伸加工の施された原料不織布１００を、搬送ロール７６，７６により、周面に起毛のための突起部７９を有する起毛ロール（部分起毛ロール）７７に搬送する。回転する起毛ロール７７により、部分延伸加工の施された原料不織布１００の面１０１側の構成繊維が不織布の表面から起毛される。このとき前記弱化点などを基点として起毛される。これにより、起毛繊維８３を搬送方向（ＭＤ）に備える起毛不織布５９が連続的に製造される。（図９（Ｄ）参照）。起毛繊維８３は、起毛加工７２により、原料不織布１００の表面繊維が、他の繊維との融着固定端８３Ａを残しながら一部破断されたものである。すなわち起毛繊維８３は、自由端８３Ｂと固定端８３Ａとを備え、不織布の面方向に対して交差する方向に起立した繊維である。
【００５６】
本発明の吸収体１０は、各種の吸収性物品に用いることができる。例えば、パンツ型使い捨ておむつ、テープ型使い捨ておむつ、生理用ナプキン、パンティライナー、失禁パッド、尿とりパッド等に用いられる。
【００５７】
本発明に係る吸収性物品の好ましい１実施形態としてパンツ型使い捨ておむつについて、図面を参照して説明する。まず、図１０及び図１１を参照して本実施形態の展開型使い捨ておむつ２００（以下、おむつ２００ともいう）の概要を説明する。
【００５８】
図１０及び図１１に示すように、本実施形態のパンツ型使い捨ておむつ２００（以下、単におむつ２００ともいう。）は、外装体２０１とその肌面に配される吸収性本体２０２とを備えている。外装体２０１は、おむつ２００の外形をなし、着用者の腹側に配される腹側部Ｆ、着用者の背側に配される背側部Ｒ、及び腹側部Ｆと背側部Ｒとの間に位置する股下部Ｃを有する。腹側部Ｆと背側部Ｒとが股下部Ｃを折り返し軸として向かい合わせにされ、両側のサイドシール部２０３，２０３で接合されて環状の胴回り部Ｄをなす。これにより、おむつ２００は、胴回り部Ｄの上端が開放されたウエスト開口部２０４と、胴回り部Ｄの下方の股下部Ｃの両側が開放された一対のレッグ開口部２０５，２０５とを有する。サイドシール部２０３は、ヒートシール、超音波シール等の任意の方法により形成される。
【００５９】
吸収性本体２０２は、構成部材として、液透過性の表面シート２１１、液難透過性の裏面シート２１２及び両シート間に介在配置される吸収体２１３を有する。ここで用いられる吸収体２１３が、本発明の起毛部３を有する吸収体である。さらに表面シート２１２の肌当接面側の両側部には、サイドシート２１４が表面シート２１１の長手方向に沿うように配されている。サイドシート２１４は表面シート２１１の幅方向外方に延出してその非肌当接面側に捲き下げられ、吸収体２１３と裏面シート２１２との間又は裏面シート２１２の非肌当接面側に接合固定されている。
【００６０】
吸収体２１３を上記のようにして組み込むとき、吸収体２１３の肌当接面側の部材（本実施形態では表面シート２１１）との接合には、少なくとも前述の起毛部３のある領域では、ホットメルト接着剤を間欠塗工して行うことが好ましい。これにより、接着剤の起毛部３への染み出しが抑えられ、起毛部３の機能を阻害しないようにすることができる。また、これにより液の透過性も維持される。
【００６１】
外装体２０１は、部材の厚み方向に見て、外層シート２２１と内層シート２２２とを積層して形成されている。外層シート２２１は外装体２０１の非肌当接面側に位置し、内層シート２２２は外装体２０１の肌当接面側に位置する。おむつ２００の股下部Ｃ両側には、外層シート２２１と内層シート２２２との間にレッグギャザー形成用弾性部材２２３が伸長状態で配置固定されている。これによりレッグ開口部２０５の周囲にレッグギャザーが形成され、おむつ２００が着用者の足回りに密着できるようにされている。
【００６２】
外層シート２２１は、ウエスト開口部２０４の開口端縁２０４Ａから肌当接面側へと折り返されて内側シート２２２と接合された折り返し部２２４，２２４を有する。外層シートは、折り返し部２２４を含めたウエスト開口部２０４周辺において、伸縮性シートからなる。該伸縮性シートは、着用者の胴回り方向、すなわち外装体２０１の幅方向（Ｘ方向）に伸縮性を有する。これにより、ウエスト開口部２０４にギャザーが形成され、おむつ２００が着用者のウエスト回りに密着できるようにされている。この伸縮性シートに代えて、折り返し部２２４と外層シート２２１又は内層シート２２２との間に弾性部材を配してもよい。
【００６３】
おむつ２００を構成する部材としては、この種の物品に用いられるものを特に制限なく用いることができる。また、さらに機能的な構造部材やシート部材等を設けてもよい。
【００６４】
表面シート２１１は、肌触りが良く液透過性の部材からなり、例えば、親水性不織布が好ましく、エアスルー不織布、ポイントボンド不織布、スパンボンド不織布、スパンレース不織布、これらの不織布を積層一体化させてなるシート材などが挙げられる。その不織布を構成する繊維は、ポリプロピレンの単繊維や、ポリプロピレンとポリエチレンの複合繊維、ポリエチレンテレフタレートとポリエチレンの複合繊維等で親水化処理が施された繊維が好ましい。また、表面シート２１１の股下部分には、表面シート２１１の非肌当接面側に親水性穴開きフィルムや親水性不織布が部分的に重ねられていてもよい。
【００６５】
裏面シート２１２は、防水性があり透湿性を有していれば特に限定されないが、吸収体２１３の非肌当接面側で液漏れを防ぐ観点から、液難透過性の部材からなる。例えば疎水性の熱可塑性樹脂と、炭酸カルシウム等からなる微小な無機フィラーまたは相溶性のない有機高分子等とを溶融混練してフィルムを形成し、フィルムを一軸または二軸延伸して得られる液不透過性の多孔性フィルムが挙げられる。前記熱可塑性樹脂としては、ポリオレフィンが挙げられる。ポリオレフィンとしては、高密度ないし低密度ポリエチレン、線状低密度ポリエチレン、ポリプロピレン、ポリブテン等が挙げられ、これらを単独でまたは混合して用いることができる。また、ムレ防止の観点から透湿性を有することが好ましい。
【００６６】
サイドシート２１４としては、撥水性の不織布が好ましく、スパンボンド不織布、メルトブローン不織布、スパンレース不織布、ヒートロール不織布、ニードルパンチ不織布等の中から撥水性の物、または撥水処理した種々の不織布を用いることができる。特に好ましくは、例えば、スパンボンド不織布、スパンボンド−メルトブローン（ＳＭ）不織布、スパンボンド−メルトブローン−スパンボンド（ＳＭＳ）、スパンボンド−メルトブローン−メルトブローン−スパンボンド（ＳＭＭＳ）、スパンボンド−スパンボンド−メルトブローン−スパンボンド（ＳＳＭＳ）不織布等が用いられる。
【００６７】
外層シート２２１及び内層シート２２２としては、それぞれ、例えばエアスルー不織布、ヒートロール不織布、スパンレース不織布、スパンボンド不織布、メルトブローン不織布等の各種製法による不織布、織布、編布、樹脂フィルム等が挙げられ、これらを積層一体化させてなるシート材等も用いることができる。特に外層シート２２１は、通気性、風合いを良好にする観点から、不織布から形成されているものが好ましく、また、排泄物の漏れ防止の観点から、撥水性の不織布から形成されているものが好ましい。
【実施例】
【００６８】
以下、本発明を実施例に基づきさらに詳しく説明するが、本発明はこれにより限定して解釈されるものではない。なお、本実施例において組成を示す「部」および「％」とは特に断らない限りいずれも質量基準である。
【００６９】
（実施例）
図１の形状の吸収性コア１を通常の方法により作成した。親水性繊維と高吸収性ポリマーの混合積繊体とした。吸収性コア１は１層からなり均一な厚みとし、その厚みは３ｍｍとした。またその坪量は４９３ｇ／ｍ２とした。コアラップシート２は、１枚で構成され、図１のような肌側起毛部３１及び非肌側起毛部３２を有し、スパンボンド−メルトブローン−スパンボンド（ＳＭＳ）からなるものを用いた。該コアラップシート２で吸収性コア１を被覆して実施例１の吸収体を得た。肌側起毛部３１及び非肌側起毛部３２は、図９の装置を用いて形成した。肌側起毛部３１及び非肌側起毛部３２の幅方向の長さは、図１の括れ部の最小幅に一致させた。また、肌側起毛部３１の長手方向の長さは、２００ｍｍとし、非肌側起毛部３２の長手方向の長さは、３５０ｍｍとした。
【００７０】
（比較例）
コアラップシート２として起毛部３の無いものを用いた以外は、実施例と同様にして比較例１の吸収体を作製した。
【００７１】
（吸収体崩れの試験方法）
作製した吸収体の試料の股下部Ｃに相当する長手方向、幅方向の中心付近に人工尿を分液漏斗を用いて４０ｇ注入し、吸収体を平らにした状態で５分間静置した。この後、人工尿を注入した部分を内側にして二つ折りし、前後端の重なった部分をクリップで固定した。次いで、床から１ｍの高さの位置で水平に固定された棒状支持体と試料に付けた前記クリップとを紐で繋いだ。このとき、クリップと棒状支持体との間の紐の長さが２００ｍｍになるようにした。次いで、試料を棒状支持体の位置まで持ち上げ、その位置から手を放して試料を自由落下させ。これを１０回繰り返した後、試料をクリップから離して平らな台の上に広げて置き、コアラップシート２を切り開いて吸収性コアの崩れ状態を観察した。このとき生じた吸収性コアの濡れた部分と濡れていない部分との分離距離を測定した。
人口尿の組成は次の通り。尿素１．９４質量％、塩化ナトリウム０．７９５４質量％、硫酸マグネシウム（七水和物）０．１１０５８質量％、塩化カルシウム（二水和物）０．０６２０８質量％、硫酸カリウム０．１９７８８質量％、ポリオキシエチレンラウリルエーテル０．００３５質量％及びイオン交換水（残量）。
【００７２】
（液拡散面積の測定方法）
評価対象のおむつを平面状に広げて肌対向面側（表面シート側）が上を向くように斜面台（４５°）に載置し、中央にゴム栓が付いたアクリルプレートをそのおむつの上に載せた。このとき０．５ｋＰａの圧力をアクリルプレートを用いてかけた状態となっていた。アクリルプレート中央のゴム栓とポンプをシリコンチューブを用いてつなぎ、ここからおむつの排泄ポイントに対して、５０ｇの人工尿を一括注入した。人工尿の注入が終了してから１０分経過後に、おむつからアクリルプレートを外し、吸収体における人工尿の広がりを、ＯＨＰシートに写し取り、画像解析ソフトＩｍａｇｅＰｒｏＰｌｕｓを用いて液拡散面積を測定した。
人工尿の組成は次の通り。尿素１．９４質量％、塩化ナトリウム０．７９５４質量％、硫酸マグネシウム（七水和物）０．１１０５８質量％、塩化カルシウム（二水和物）０．０６２０８質量％、硫酸カリウム０．１９７８８質量％、ポリオキシエチレンラウリルエーテル０．００３５質量％及びイオン交換水（残量）。
【００７３】
【表１】
2016116657.tif 000003
【００７４】
表１の結果から分かるように、実施例のサンプルは比較例に比べ吸収体における液拡散面積が広くなっていた。したがって吸収体で効果的に液を拡散していることが判る。また、実施例のサンプルは比較例に比べ、図１２に示すように、ヨレや型崩れが抑えられ、落下試験後の吸収体の濡れた部分と濡れていない部分の分離距離も短く、すなわち吸収体が移動していないので壊れにくいことがわかる。
【符号の説明】
【００７５】
１  吸収性コア
２  コアラップシート
３  起毛部
４  非起毛部
１０  吸収体
２００  パンツ型使い捨ておむつ
２０１  外装体
２０２  吸収性本体
２１１  表面シート
２１２  裏面シート
２１３  吸収体
【図１】
2016116657.tif 000004
【図２】
2016116657.tif 000005
【図３】
2016116657.tif 000006
【図４】
2016116657.tif 000007
【図５】
2016116657.tif 000008
【図６】
2016116657.tif 000009
【図７】
2016116657.tif 000010
【図８】
2016116657.tif 000011
【図９】
2016116657.tif 000012
【図１０】
2016116657.tif 000013
【図１１】
2016116657.tif 000014
【図１２】
2016116657.tif 000015